(57)【要約】  係止片の幅方向への変形を抑制できると共に、成形型の型強度を保持できる、結束バンドを提供する。  この結束バンド１０は、係止歯２１を設けたバンド部２０とロック部３０とを備え、ロック部３０は、バンド部２０が挿通される挿通路３５と、係止爪４１を有する係止片４０とを有し、係止片４０は、一端が挿通路３５のバンド部入口側壁部に連結部を介して連結され、他端が挿通路３５のバンド部出口側へ延出されていると共に、挿通路３５の壁部に対して離間する突出部４５を有しており、挿通路３５の壁部３１に凸部４９が形成され、突出部４５に凹部４７が形成されており、挿通路３５に挿通されたバンド部２０がバンド部入口側に引張られたときに、凸部４９が凹部４７に入り込むように構成されている
2015198965.tif 000002
【特許請求の範囲】
【請求項１】
少なくとも片面に長手方向に沿って所定間隔で複数の係止歯が形成されたバンド部と、該バンド部の基端に形成されたロック部とを備え、
前記ロック部は、前記バンド部が挿通される挿通路と、該挿通路内に配置され前記バンド部の係止歯に係止する係止爪を有する係止片とを有し、
前記係止片は、一端が前記挿通路のバンド部入口側壁部に連結部を介して連結され、他端が前記挿通路のバンド部出口側へ延出されていると共に、前記連結部よりも前記挿通路のバンド部入口側に突出し、かつ、前記挿通路の壁部に対して離間する突出部を有しており、
前記突出部と前記挿通路の壁部との対向面の、どちらか一方に凸部が形成され、他方に凹部が形成されており、前記挿通路に挿通された前記バンド部がバンド部入口側に引張られたときに、前記凸部が前記凹部に入り込むように構成されていることを特徴とする結束バンド。
【請求項２】
前記凸部の両側には基底面が設けられ、前記凹部の両側には突出面が設けられており、前記凸部の両側の基底面と前記凹部の両側の突出面とが、隙間Ａをもって対向配置され、前記凸部の頂面と前記凹部の底面とが、前記隙間Ａよりも大きな隙間Ｂをもって対向配置されている請求項１記載の結束バンド。
【請求項３】
前記挿通路を、前記バンド部の挿通方向に沿って見たときに、前記凸部の両外側面には、同凸部の頂面に向かって次第に幅狭となるテーパ面が形成されていると共に、前記凹部の両内側面には、同凹部の底面に向かって次第に幅狭となるテーパ面が形成されている請求項１又は２記載の結束バンド。
【請求項４】
前記挿通路を、前記バンド部の挿通方向に沿って見たときに、前記凸部の両外側面には、同凸部の頂面に向かって次第に幅狭となるテーパ面が形成されていると共に、前記凹部の両内側面には、同凹部の底面に向かって次第に幅狭となるテーパ面が形成されており、
前記凹部の開口部側の幅と前記凸部の基部側の幅との差の１／２をＣとしたとき、該Ｃは前記隙間Ａよりも小さく、かつ、前記凸部のテーパ面と前記凹部のテーパ面との間隔Ｄは、前記隙間Ａ以上に形成されている請求項２記載の結束バンド。
【請求項５】
前記凹部は、前記係止片の突出部に形成され、前記凸部は、前記挿通路の内壁に形成されている請求項１〜４のいずれか１つに記載の結束バンド。
【請求項６】
前記挿通路のバンド部出口側の周縁には、前記バンド部の係止歯が係合しない程度に大きな曲率の面取部が形成されている請求項１〜５のいずれか１つに記載の結束バンド部。
【発明の詳細な説明】
【技術分野】
【０００１】
本発明は、例えば、ケーブルや電線等の被結束部材に巻き付けて、これらを結束する結束バンドに関する。
【背景技術】
【０００２】
例えば、車両の内部や外部には、複数のケーブルや電線、パイプ、チューブ等（被結束部材）が配設されているが、これらは結束バンドによって結束されることが多い。【０００３】
このような結束バンドとして、下記特許文献１には、歯が形成されたストラップと、その一端部に固定されるロック部とを備え、ロック部は、ストラップ開口部を有するとともに、ストラップとの連結部に対向して位置する側面に前記ストラップ開口部の方向に対して横切る方向に位置するストラップガイド面を形成する、ケーブル束のような対象物を結束する装置が記載されている。また、特許文献１のＦｉｇ．４に示すように、ロック部を、ストラップの挿入方向側から見たとき、ロック部の内周壁には、ストラップの歯に係合する、撓み可能な戻り止めが連結されている。この戻り止め爪の両側には、スリット状の隙間が形成され、該隙間を介して前記ストラップガイド面が配置されている。そして、ストラップをケーブル束等の外周に巻き付けて、その先端をストラップ開口部の入口側から挿入して出口側から引き出すと、ストラップの歯が戻り止め爪に係合して、ストラップの戻りが防止されつつ、ケーブル束等が締め付け固定される。
【先行技術文献】
【特許文献】
【０００４】
【特許文献１】特表２００３−５２５８２５号公報
【発明の概要】
【発明が解決しようとする課題】
【０００５】
ところで、上記特許文献１の結束装置において、ロック部のストラップ開口部の出口側から挿出されたストラップは、ケーブル束等を締め付け固定した状態で、ケーブル束等に外力がかかったときに、ロック部のストラップ開口部の入口側（引き抜き側）に引張られることとなる。この際、ストラップがストラップ開口部の挿通方向に対して斜めに引張られることがあり、それによって、戻り止め爪が幅方向に変形してしまって、ストラップに対するロック強度が低下するおそれがある。【０００６】
また、戻り止め爪と、その両側のストラップガイド面との間には、スリット状をなした細い隙間が形成されており、この隙間に成形型の挿入部が挿入されるため、型強度上、この隙間をできるだけ大きく確保したいという要望がある。しかしながら、この隙間を大きく確保すると、上述したように、ストラップが斜めに引張られた際に、戻り止め爪が幅方向に変形しやすくなり、ストラップとのロック強度が低下しやすくなる。【０００７】
したがって、本発明の目的は、係止片の幅方向への変形を抑制して、バンド部とロック部とのロック強度を維持できると共に、成形型の型強度を保持することができる、結束バンドを提供することにある。
【課題を解決するための手段】
【０００８】
上記目的を達成するため、本発明の結束バンドは、少なくとも片面に長手方向に沿って所定間隔で複数の係止歯が形成されたバンド部と、該バンド部の基端に形成されたロック部とを備え、前記ロック部は、前記バンド部が挿通される挿通路と、該挿通路内に配置され前記バンド部の係止歯に係止する係止爪を有する係止片とを有し、前記係止片は、一端が前記挿通路のバンド部入口側壁部に連結部を介して連結され、他端が前記挿通路のバンド部出口側へ延出されていると共に、前記連結部よりも前記挿通路のバンド部入口側に突出し、かつ、前記挿通路の壁部に対して離間する突出部を有しており、前記突出部と前記挿通路の壁部との対向面の、どちらか一方に凸部が形成され、他方に凹部が形成されており、前記挿通路に挿通された前記バンド部がバンド部入口側に引張られたときに、前記凸部が前記凹部に入り込むように構成されていることを特徴とする。【０００９】
本発明の結束バンドにおいては、前記凸部の両側には基底面が設けられ、前記凹部の両側には突出面が設けられており、前記凸部の両側の基底面と前記凹部の両側の突出面とが、隙間Ａをもって対向配置され、前記凸部の頂面と前記凹部の底面とが、前記隙間Ａよりも大きな隙間Ｂをもって対向配置されていることが好ましい。【００１０】
本発明の結束バンドにおいては、前記挿通路を、前記バンド部の挿通方向に沿って見たときに、前記凸部の両外側面には、同凸部の頂面に向かって次第に幅狭となるテーパ面が形成されていると共に、前記凹部の両内側面には、同凹部の底面に向かって次第に幅狭となるテーパ面が形成されていることが好ましい。【００１１】
本発明の結束バンドにおいては、前記挿通路を、前記バンド部の挿通方向に沿って見たときに、前記凸部の両外側面には、同凸部の頂面に向かって次第に幅狭となるテーパ面が形成されていると共に、前記凹部の両内側面には、同凹部の底面に向かって次第に幅狭となるテーパ面が形成されており、前記凹部の開口部側の幅と前記凸部の基部側の幅との差の１／２をＣとしたとき、該Ｃは前記隙間Ａよりも小さく、かつ、前記凸部のテーパ面と前記凹部のテーパ面との間隔Ｄは、前記隙間Ａ以上に形成されていることが好ましい。【００１２】
本発明の結束バンドにおいては、前記凹部は、前記係止片の突出部に形成され、前記凸部は、前記挿通路の内壁に形成されていることが好ましい。【００１３】
本発明の結束バンドにおいては、前記挿通路のバンド部出口側の周縁には、前記バンド部の係止歯が係合しない程度に大きな曲率の面取部が形成されていることが好ましい。
【発明の効果】
【００１４】
本発明によれば、バンド部を複数のハーネスやケーブル等の被結束部材に巻き付けて、バンド部をその先端側からロック部の挿通路のバンド部入口側から挿入して、バンド部出口から挿出させ、バンド部の挿出した部分を引張ることにより、被結束部材をバンド部で締め付けることができる。そして、バンド部がバンド部出口側から引き出されるのに従って、ロック部の係止片の係止爪がバンド部の係止歯に順次係止し、引き出されたバンド部の戻りを規制する。その結果、バンド部によって被結束部材が締め付けられた状態に維持され、被結束部材をしっかりと結束することができる。【００１５】
そして、本発明においては、結束状態で被結束部材に外力が作用して、バンド部がバンド部入口側（引き抜き側）に引張られたときに、係止片の突出部又は挿通路内壁の一方に設けた凸部が、それらの他方に設けた凹部に入り込むように構成されているので、連結部を介して撓み変形する係止片が、挿通路の幅方向に変形することを抑制することができ、その結果、係止爪と係止歯とをしっかりと係止させて、バンド部とロック部とのロック強度が低下することを抑制することができる。【００１６】
また、係止片の両側と挿通路内壁との間隔を大きくとっても、上記のように、係止片の突出部又は挿通路内壁の一方に設けた凸部が、それらの他方に設けた凹部に入り込むことによって、係止片の幅方向への変形が抑制されるので、上記間隔に挿入される成形型の挿入部を比較的厚くして、結束バンド成形用の成形型の型強度を保持することができる。
【図面の簡単な説明】
【００１７】
【図１】本発明に係る結束バンドの一実施形態を示す斜視図である。
【図２】同結束バンドの要部拡大斜視図である。
【図３】同結束バンドにおいて、図２とは異なる方向から見た場合の要部拡大斜視図である。
【図４】同結束バンドの要部拡大平面図である。
【図５】同結束バンドの拡大断面図である。
【図６】同結束バンドを用いて、被結束部材を結束した状態の断面図である。
【図７】同結束バンドにおいて、バンド部が挿通路のバンド部入口側に引張られた状態の断面斜視図である。
【図８】同結束バンドの使用状態を示しており、（ａ）はバンド部がバンド部入口側に引張られた状態の説明図、（ｂ）はバンド部が挿通路の幅方向に偏った状態で引張られた状態の説明図である。
【図９】同結束バンドにおいて、バンド部をバンド部連結側の壁部に近接する方向に屈曲させて、増し締めしようとした状態の説明図である。
【図１０】同結束バンドにおいて、バンド部を図１１とは反対側の壁部に近接する方向に屈曲させて、増し締めしようとした状態の説明図である。
【発明を実施するための形態】
【００１８】
以下、図面を参照して、本発明に係る結束バンドの一実施形態について説明する。
【００１９】
図６に示すように、この結束バンド１０は、例えば、車両の内部に配設される、複数の電線やケーブル、チューブ、パイプ等の被結束部材Ｈを結束するためのものであって、バンド部２０と、該バンド部２０の基端に形成されたロック部３０とを備えている。なお、この結束バンド１０は、複数の電線が束になったワイヤハーネスに巻き付けて、保持させるために用いてもよい。
【００２０】
図１に示すように、前記バンド部２０は、所定長さで伸びる帯状をなしており、その片面には、長手方向に沿って所定間隔で、かつ、バンド部２０の幅方向に伸びる複数の係止歯２１が形成されている。この係止歯２１は、バンド部２０の先端側が次第に低くなるテーパ形状をなしている。なお、複数の係止歯２１は、バンド部２０の両面に設けてもよい。また、バンド部２０の幅方向両側縁部には、長手方向に沿ってリブ２３，２３が延設されている。
【００２１】
一方、ロック部３０は、対向して配置された一対の壁部３１，３２と、該一対の壁部３１，３２の両側端部に連結された壁部３３，３３とで囲まれて形成された挿通路３５を有する、略四角枠状をなしている。前記バンド部２０は、前記壁部３１の、挿通路３５のバンド部入口３５ａ（図５，６参照）に位置する一縁部から延出されている。図６に示すように、バンド部２０は、上記バンド部入口３５ａから挿入されて、その反対側のバンド部出口３５ｂから挿出されるようになっている。
【００２２】
また、図２及び図４に示すように、前記一対の壁部３３，３３の内面には、ガイド壁３７，３７が設けられている。このガイド壁３７，３７は、バンド部２０を挿通路３５に挿通させるときに、バンド部２０のリブ２３，２３に当接して挿通ガイドとなると共に、係止片４０の傾きを抑制して、係止歯２１を係止片４０に適切に係止させるものである。
【００２３】
図１〜４に示すように、ロック部３０の挿通路３５内には、前記バンド部２０の係止歯２１に係止する複数の係止爪４１を設けた、係止片４０が配設されている。なお、係止爪４１は、挿通路３５のバンド部出口３５ｂ側に向かって次第に高くなる逆テーパ状をなしている（図５及び図６参照）。そのため、バンド部２０が挿通路３５のバンド部出口３５ｂから引き出されるときには、係止片４０の係止爪４１が、バンド部２０の係止歯２１を順次乗り越えて、バンド部２０の移動を許容すると共に、バンド部２０が挿通路３５のバンド部入口３５ａ側に引張られたときには、係止歯２１に係合して、バンド部２０の戻りが規制されるようになっている。
【００２４】
この実施形態の係止片４０は、前記ガイド壁３７，３７に対して、所定間隔のスリット３９，３９（図４参照）を介して撓み可能に形成されており、その一端が、挿通路３５を画成する壁部３１の内面の、バンド部入口３５ａ側に連結部４３を介して連結され、他端がバンド部出口３５ｂ側へ向けて斜めに延出されている（図５参照）。
【００２５】
更に図５に示すように、係止片４０は、前記連結部４３よりも、挿通路３５のバンド部入口３５ａ側に突出し、かつ、挿通路３５の壁部３１，３２及び壁部３３，３３に対して離間する突出部４５を有している。
【００２６】
図２及び図４に示すように、この突出部４５の、挿通路３５の壁部３１との対向面に、凹部４７が形成されている。この凹部４７は、挿通路３５をバンド部２０の挿通方向に沿って見たときに、その両内側面に、凹部４７の底面４７ａに向かって次第に幅狭となるテーパ面４７ｂ，４７ｂが形成されている（図４参照）。また、凹部４７の両側には、挿通路３５の壁部３１に向かって突出する、突出面４７ｃ，４７ｃが形成されている。なお、この突出面４７ｃ，４７ｃ及び前記底面４７ａは、バンド部２０の延出方向に直交する平坦面状をなしている。
【００２７】
一方、挿通路３５の壁部３１の内面の、バンド部入口３５ａ側に、凸部４９が形成されている。この凸部４９は、挿通路３５をバンド部２０の挿通方向に沿って見たときに、その両外側面には、凸部４９の頂面４９ａに向かって次第に幅狭となるテーパ面４９ｂ，４９ｂが形成されている（図４参照）。
【００２８】
また、図４に示すように、凸部４９の両側には基底面４９ｃ，４９ｃが形成されており、これらの基底面４９ｃ，４９ｃと、前記凹部４７の両側の突出面４７ｃ，４７ｃとは、所定の隙間Ａをもって対向して配置されている。更にこの凸部４９の頂面４９ａと、前記凹部４７の底面４７ａとは、前記隙間Ａよりも大きな間隔Ｂをもって対向して配置されている（図４参照）。
【００２９】
また、図４に示すように、凹部４７の開口部側の幅と凸部４９の基部側の幅との差の、１／２をＣとしたとき、該Ｃは、前記隙間Ａよりも小さく、かつ、凸部４９のテーパ面４９ｂと凹部４７のテーパ面４７ｂとの間隔Ｄは、前記隙間Ａ以上に形成されている。
【００３０】
そして、図７に示すように、バンド部２０が、挿通路３５のバンド部入口３５ａ側に引張られたときに、凸部４９が凹部４７に入り込むように構成されている。この実施形態では、上記のようにバンド部２０が引張られたときに、凸部４９が凹部４７に入り込むと共に、凹部４７の突出面４７ｃ，４７ｃが、凸部４９の基底面４９ｃ，４９ｃに当接するようになっている（図７参照）。
【００３１】
なお、この実施形態では、凹部４７が係止片４０の突出部４５に形成され、凸部４９が挿通路３５を画成する壁部３１に形成されているが、これとは逆に、壁部３１に凹部４７を設け、突出部４５に凸部４９を設けてもよく、特に限定はされない。また、この実施形態における凹部４７及び凸部４９は、テーパ面４７ｂ、４９ｂが形成されているが、例えば、凹部をコ字状とし凸部を角形としたり、凹部を円弧状とし凸部を曲面状としたり、更には凹部をＶ字状し凸部を山形としたりしてもよく、バンド部２０がバンド部入口３５ａ側に引張られたときに、凸部が凹部に入り込むように構成されていればよい。
【００３２】
また、図３及び図５に示すように、挿通路３５のバンド部出口３５ｂ側の周縁には、面取部が形成されている。この実施形態では、一対のガイド壁３７，３７の、壁部３２との対向面であって、バンド部出口３５ｂ側の周縁に、円弧状に屈曲した面取部５１，５１が形成され、また、壁部３２の内面であって、バンド部出口３５ｂ側の周縁に、円弧状に屈曲した面取部５２が形成され、更に、一対の壁部３３，３３の内面であって、バンド部出口３５ｂ側の周縁に、円弧状に屈曲した面取部５３，５３が形成されている。
【００３３】
これらの面取部５１、５２、５３は、図９に示すように、バンド部出口３５ｂから挿出されたバンド部２０を屈曲させつつ引張ったときに、バンド部２０の係止歯２１が係合しない程度の大きな曲率で形成されている。この実施形態の場合、バンド部２０の係止歯２１が当接するのは、面取部５１だけであるが、他の面取部５２，５３においても、上記曲率で形成されることにより、バンド部２０が滑りやすくすることができる。例えば、図１０に示すように、バンド部出口３５ｂから挿出されたバンド部２０を上記とは反対側に屈曲させつつ引張ったときにも、面取り部５２にバンド部２０が当接して滑りやすくなっている。
【００３４】
なお、この実施形態における結束バンド１０は、車両パネルや車体フレーム等の固定部材に保持される構造ではないが、例えば、前記ロック部３０の所定壁部に、柱状のステム部と、該ステム部の先端から碇足状に延出した一対の係止脚とからなるクリップ（もちろん、この構造以外のクリップでもよい）を連設して、該クリップを前記固定部材に形成された取付孔に挿入して固定させて、固定部材に対して結束バンドを保持させるようにしてもよい。
【００３５】
次に、上記構成からなる結束バンド１０の使用方法及び作用効果について説明する。
【００３６】
まず、バンド部２０を、複数の係止歯２１が内側となるように湾曲させて、電線やケーブル等の被結束部材Ｈに巻き付けると共に、その先端側からロック部３０の挿通路３５のバンド部入口３５ａに挿入する。そして、バンド部２０のリブ２３，２３をガイド壁３７，３７に当接させてガイドさせつつ、バンド部２０を挿通路３５に挿通して、バンド部出口３５ｂから挿出させた後、バンド部２０の挿出した部分を引張ることにより、係止片４０が連結部４３を介して撓みつつ、その係止爪４１がバンド部２０の係止歯２１を順次乗り越えて、バンド部２０が引き出されていき、被結束部材Ｈをバンド部２０で締め付けることができる（図６及び図７参照）。被結束部材Ｈを充分に締め付けた状態で手を離すと、係止片４０の係止爪４１がバンド部２０の係止歯２１に係止して、バンド部２０がロック部３０にロックされて抜け止めされ、バンド部２０によって被結束部材Ｈが締め付けられた状態に維持されて、被結束部材Ｈをしっかりと結束することができる（図６参照）。
【００３７】
そして、この結束バンド１０においては、上記結束状態で、例えば被結束部材Ｈに外力がかかり、挿通路３５に挿通されたバンド部２０が、挿通路３５のバンド部入口３５ａ側に引張られたときに、図７に示すように、挿通路３５を画成する壁部３１に設けた凸部４９が、係止片４０の突出部４５に設けた凹部４７に入り込むと共に、凹部４７の両側の突出面４７ｃ，４７ｃが、凸部４９の両側の基底面４９ｃ，４９ｃに当接する。その結果、連結部４３を介して撓み変形する係止片４０が、バンド部入口３５ａ側にそれ以上撓むことが抑制されると共に、挿通路３５の幅方向に変形することも抑制されるので、係止片４０の係止爪４１とバンド部２０の係止歯２１とをしっかりと係止させて、バンド部２０とロック部３０とのロック強度を高めることができる。
【００３８】
また、図４に示すように、係止片４０の両側と、挿通路３５を画成する一対の壁部３２，３２との間隔（スリット３９の幅）を大きく確保しても、上記のように、壁部３１に設けた凸部４９が、係止片４０の突出部４５に設けた凹部４７に入り込むことによって、係止片４０の幅方向への変形が抑制されるので、上記スリット３９に挿入される、結束バンド１０の成形型の挿入部を比較的厚くすることができ、その型強度を保持することができる。
【００３９】
更に、この実施形態においては、図４に示すように、凸部４９の両側の基底面４９ｃ，４９ｃと、凹部４７の両側の突出面４７ｃ，４７ｃとは、所定の隙間Ａをもって対向して配置され、凸部４９の頂面４９ａと凹部４７の底面４７ａとは、前記隙間Ａよりも大きな間隔Ｂをもって対向して配置されている。この場合、隙間Ａよりも隙間Ｂが大きいので、バンド部２０が挿通路３５のバンド部入口３５ａ側に引張られたときに、凸部４９の両側の基底面４９ｃ，４９ｃと、凹部４７の両側の突出面４７ｃ，４７ｃとを当接しやすくして、係止片４０の撓みを規制して、係止片４０の係止爪４１とバンド部２０の係止歯２１との係合力を高めることができる（図７参照）。また、隙間Ｂを大きくとることによって、結束バンド１０の成形型における隙間Ｂに入り込む部分を、厚くできるので、同成形型の型強度を保持することができる。
【００４０】
更に、この実施形態においては、凸部４９の両外側面に、頂面４９ａに向かって次第に幅狭となるテーパ面４９ｂ，４９ｂが形成されていると共に、凹部４７の両内側面に、底面４７ａに向かって次第に幅狭となるテーパ面４７ｂ，４７ｂが形成されている（図４参照）。そのため、結束状態でバンド部２０が、挿通路３５のバンド部入口３５ａ側に引張られたときに、凸部４９と凹部４７の、テーパ面４９ｂ、４７ｂによって、凸部４９がガイドされつつ凹部４７に入り込むので（図８（ａ）参照）、係止片４０の幅方向への変形をより効果的に抑制することができる。
【００４１】
また、この実施形態においては、図４に示すように、凹部４７の開口部側の幅と凸部４９の基部側の幅との差の、１／２をＣとしたとき、該Ｃは、前記隙間Ａよりも小さく、かつ、凸部４９のテーパ面４９ｂと凹部４７のテーパ面４７ｂとの間隔Ｄは、前記隙間Ａ以上に形成されている。そのため、図８（ｂ）に示すように、バンド部２０が、挿通路３５の幅方向に偏倚した状態で、バンド部入口３５ａ側に引張られて、係止片４０が挿通路３５の幅方向に変形するときに、凸部４９の基部側周縁に、凹部４７の開口側周縁が当接することとなり、係止片４０の、挿通路３５の幅方向への変形を、より効果的に抑制することができると共に、凸部４９のテーパ面４９ｂと凹部４７のテーパ面４７ｂとの間隔Ｄ（図４（ａ）参照）を大きく確保して、成形型の型強度を高めることができる。
【００４２】
更に、この実施形態においては、凹部４７が係止片４０の突出部４５に形成され、凸部４９が挿通路３５を画成する壁部３１に形成されているので、ロック部３０の壁厚を確保して、ロック部３０の変形を抑制することができる。
【００４３】
ところで、本発明の結束バンド１０を用いて被結束部材Ｈを結束する際には、被結束部材Ｈの外径に応じて、挿通路３５のバンド部出口３５ｂから挿出されたバンド部２０を引張って、係止片４０の係止爪４１を、バンド部２０の所定位置の係止歯２１に係止させる。しかしながら、作業者によっては、被結束部材Ｈを結束するのに十分な締め付け力が得られているのに、挿通路３５のバンド部出口３５ｂの周縁にバンド部２０の係止歯２１を係止させて、バンド部２０を屈曲させつつ更に引張ってしまうことがあった（これを「増し締め」という）。この場合、被結束部材Ｈが過度の締め付け力で結束されるため、好ましくない。この実施形態の結束バンド１０においては、このような増し締めを抑制できる構造となっている。
【００４４】
すなわち、この結束バンド１０においては、図３及び図５に示すように、挿通路３５のバンド部出口３５ｂ側の周縁に、バンド部出口３５ｂから挿出されたバンド部２０を屈曲させつつ引張ったときに、バンド部出口３５ｂ側の周縁に、バンド部２０の係止歯２１が係合しない程度の大きな曲率で、面取部５１、５２、５３が形成されている。
【００４５】
そのため、例えば、図９に示すように、挿通路３５のバンド部出口３５ｂから挿出されたバンド部２０を、その係止歯２１がロック部３０の壁部３１に近接する方向に屈曲させて増し締めしようとしても、バンド部２０の係止歯２１が、挿通路３５のバンド部出口３５ｂ側周縁の面取部５１に係止されることはないので、増し締めがしにくくなり、係止片４０の係止爪４１とバンド部２０の係止歯２１とを、適度な引張り力で係止させることができる。
【００４６】
更に図１０に示すように、バンド部２０を、係止歯２１がロック部３０の壁部３２に近接する方向に屈曲させて増し締めしようとした場合には、挿通路３５のバンド部出口３５ｂ側周縁の面取部５２に当接して曲がって、バンド部２０の係止歯２１が、反対側の面取部５１に係止されることが防止されて、増し締めがしにくくなり、係止片４０の係止爪４１とバンド部２０の係止歯２１とを、適度な引張り力で係止させることができる。
【符号の説明】
【００４７】
１０  結束バンド
２０  バンド部
２１  係止歯
３０  ロック部
３５  挿通路
３５ａ  バンド部入口
３５ｂ  バンド部出口
４０  係止片
４１  係止爪
４３  連結部
４５  突出部
４７  凹部
４７ａ  底面
４７ｂ  テーパ面
４７ｃ  突出面
４９  凸部
４９ａ  頂面
４９ｂ テーパ面
４９ｃ  基底面
５１，５２，５３  面取部
【図１】
2015198965.tif 000003
【図２】
2015198965.tif 000004
【図３】
2015198965.tif 000005
【図４】
2015198965.tif 000006
【図５】
2015198965.tif 000007
【図６】
2015198965.tif 000008
【図７】
2015198965.tif 000009
【図８】
2015198965.tif 000010
【図９】
2015198965.tif 000011
【図１０】
2015198965.tif 000012
【国際調査報告】
2015198965.tif 000013
2015198965.tif 000014